(57)【要約】【課題】紙カップの内面および底外面の異物の除去を確実、かつスムーズに行うことができるエア洗浄装置を提供することにある。また大掛かりな設備を必要としないエア洗浄装置を提供することにある。【解決手段】紙を主体とし、胴材と底材からなる紙カップを倒立させ、該紙カップの内面および底外面にエアを吹き付けて、付着した異物を除去するエア洗浄装置であって、前記内面を洗浄するリングノズルが、前記紙カップの開口部下側に配され、前記底外面を洗浄する蓋型ノズルが、前記底外面上側に配され、前記紙カップを挟んで、前記リングノズルと前記蓋型ノズルが一対に配され、前記リングノズルが前記内面近傍に、前記蓋型ノズルが前記底外面近傍へスライドすることを特徴とするエア洗浄装置である。【選択図】図１
2013184101.tif 000002
【特許請求の範囲】
【請求項１】
紙を主体とし、胴材と底材からなる紙カップを倒立させ、該紙カップの内面および底外面にエアを吹き付けて、付着した異物を除去するエア洗浄装置であって、
前記内面を洗浄するリングノズルが、前記紙カップの開口部下側に配され、
前記底外面を洗浄する蓋型ノズルが、前記底外面上側に配され、
前記紙カップを挟んで、前記リングノズルと前記蓋型ノズルが一対に配され、
前記リングノズルが前記内面近傍に、前記蓋型ノズルが前記底外面近傍へスライドすることを特徴とするエア洗浄装置。
【請求項２】
前記リングノズルおよび前記蓋型ノズルが、それぞれ、エアを吹付けるための多数の吹付け孔と、エアを吸引し排出するための吸引孔と、を有していることを特徴とする請求項１記載のエア洗浄装置。
【請求項３】
前記リングノズルの先端の中心部および前記蓋型ノズルの中心部に、それぞれ、前記吸引孔が形成されていることを特徴とする請求項２記載のエア洗浄装置。
【請求項４】
前記リングノズルおよび前記蓋型ノズルが、それぞれ、吹付けと吸引の同時作動と、吸引作動の切換えを可能にする手段を備えたことを特徴とする請求項１〜３のいずれか１項に記載のエア洗浄装置。
【請求項５】
前記リングノズルおよび前記蓋型ノズルが、それぞれ、吹付けと吸引の同時作動時間と、吸引作動時間を任意に設定する手段を備えたことを特徴とする請求項１〜４のいずれか１項に記載のエア洗浄装置。
【発明の詳細な説明】
【技術分野】
【０００１】
本発明は、紙カップの洗浄装置に関するもので、特にエア洗浄装置に関するものである。
【背景技術】
【０００２】
従来より、紙カップは、飲料用に用いられ、コールドカップ、ホットカップなどがある。また、ポップコーンなどの固形物を収納する容器としても用いられている。
【０００３】
一般的な紙カップは、図４、図５に示すように胴材１１と底材１２とからなり、胴材１１は、主に胴部１３を形成し、上端を外側にカールしてトップカール部２０とし、下端を内側に折り返して折り返し部１４を形成している。また底材１２は、主に底面部１５を形成し、外周縁部を下方へ略直角に屈曲して屈曲部１６を形成している。胴材１１と底材１２の接合は、屈曲部１６を、胴材の折り返し部１４と胴部の下端面とで挟んで加熱接着している。この屈曲部１６を挟み込んで接合した接合部を糸尻部２２と称し、底面部１５を上げ底にして形成されている。紙カップ１０は、紙カップ生産機にて連続して生産され、自動的に積層され、所定の積層体に形成され、カートンに梱包され製品化される。
【０００４】
しかしながら、生産された紙カップに異物が付着する場合がある。例えば、環境中の塵、埃などの異物が付着する場合や、胴材の折り返し部の形成、底材の屈曲部の形成、糸尻部の形成などの加工時に、紙カスからなる異物が付着する場合がある。この様な異物を洗浄するために、エアを吹付けるエア洗浄方法が一般的に行われている。特に紙カップの内面に行われていた。
【０００５】
図３は、従来でのエア洗浄装置の一例を示している。排気ダクト３２の中にエアを吹付けるためのスピンノズル３０が備えられている。スピンノズル３０の下側には、排気ダクト３２の一部が開口され、該開口部に紙カップ１０の開口部１７、即ち紙カップの内面が配されている。スピンノズル３０は、紙カップの内面に向かって、エアを吹付けながらスピンｄして内面、底面部を洗浄する。スピンノズル３０は、一軸を支点としてスピンし、均一に吹付け洗浄する。吹付けられたエアａは、図に示すようなエアの流れｂになって、排気ダクト３２の排出口３３から排出される。
【０００６】
しかし、この様な方法では、スピンノズルの位置や、カップの位置が決められている中で、一定のエア圧にて洗浄しているために、内面の部位による洗浄ムラが生じる場合がある。例えば、胴材と底材との接合部などの異物が、除去できないまま製品に混入してしまう問題があった。またスピンノズル全体を覆う排気ダクトを備える必要があり、設備的に大掛かりになる問題がある。
【０００７】
また、紙カップには、異物が付着すると取り難い部位がある。図５は、一般的な紙カップ１０の断面図の一例を示している。紙カップの内面１８では、胴材と底材の接合部２１、また紙カップの外面では、底外面１９、特に糸尻部２２近傍など異物が付着すると除去し難い部位がある。紙カップは、製品形態が積層され梱包された状態であるために、紙カップの底外面の異物が内面に付着する場合がある。よって紙カップの内面および底外面も洗浄する必要がある。
【０００８】
容器の外周面をエア洗浄する提案がある（特許文献１）。これは容器を装着する金型に通気孔を形成し、通路断面積の総和が排出通路の通路断面積よりも小さくなっており、吸引ブロアによる内部空間の空気の吸引に伴って、通気孔を介して内部空間へ流入する空気
を高速流として容器の外周面に吹付け、異物を除去する方法である。
【０００９】
しかし、この方法では、容器の外周面もしくは内周面の一方の面しか洗浄できない問題がある。
【００１０】
紙カップの内面および底外面の洗浄を効率よく行うことができ、かつ設備面でも費用が大きく掛からないエア洗浄装置の要望がある。
【先行技術文献】
【特許文献】
【００１１】
【特許文献１】特開２０１１−２４０２７７号公報
【発明の概要】
【発明が解決しようとする課題】
【００１２】
背景技術の問題に鑑みて、紙カップの内面および底外面の異物の除去を確実、かつスムーズに行うことができるエア洗浄装置を提供することにある。また大掛かりな設備を必要としないエア洗浄装置を提供することにある。
【課題を解決するための手段】
【００１３】
上記の課題を解決するために、発明者らは鋭意検討を行い、本発明を完成した。
【００１４】
本発明の請求項１に係る発明は、紙を主体とし、胴材と底材からなる紙カップを倒立させ、該紙カップの内面および底外面にエアを吹き付けて、付着した異物を除去するエア洗浄装置であって、
前記内面を洗浄するリングノズルが、前記紙カップの開口部下側に配され、
前記底外面を洗浄する蓋型ノズルが、前記底外面上側に配され、
前記紙カップを挟んで、前記リングノズルと前記蓋型ノズルが一対に配され、
前記リングノズルが前記内面近傍に、前記蓋型ノズルが前記底外面近傍へスライドすることを特徴とするエア洗浄装置である。
【００１５】
本発明の請求項２に係る発明は、前記リングノズルおよび前記蓋型ノズルが、それぞれ、エアを吹付けるための多数の吹付け孔と、エアを吸引し排出するための吸引孔と、を有していることを特徴とする請求項１記載のエア洗浄装置である。
【００１６】
本発明の請求項３に係る発明は、前記リングノズルの先端の中心部および前記蓋型ノズルの中心部に、それぞれ、前記吸引孔が形成されていることを特徴とする請求項２記載のエア洗浄装置である。
【００１７】
本発明の請求項４に係る発明は、前記リングノズルおよび前記蓋型ノズルが、それぞれ、吹付けと吸引の同時作動と、吸引作動の切換えを可能にする手段を備えたことを特徴とする請求項１〜３のいずれか１項に記載のエア洗浄装置である。
【００１８】
本発明の請求項５に係る発明は、前記リングノズルおよび前記蓋型ノズルが、それぞれ、吹付けと吸引の同時作動時間と、吸引作動時間を任意に設定する手段を備えたことを特徴とする請求項１〜４のいずれか１項に記載のエア洗浄装置である。
【発明の効果】
【００１９】
本発明のエア洗浄装置は、紙カップの内面を洗浄するリングノズル、底外面を洗浄する蓋型ノズルからなっている。リングノズルは紙カップの内面の近傍に、蓋型ノズルは、底外面の近傍にスライドして満遍なく洗浄する。また、それぞれのノズルには、エアを吹付
ける吹付け孔とエアを吸引し排出する吸引孔を備えている。確実に、かつスムーズに異物の除去ができるエア洗浄装置である。洗浄された紙カップは衛生性に優れている。また大掛かりな設備を必要としないエア洗浄装置である。
【００２０】
本発明の請求項１によれば、本発明のエア洗浄装置は、紙カップの内面と底外面部を同時に洗浄するものである。内面を洗浄するリングノズルが、紙カップの開口部下側に配され、開口部から内面へスライドして洗浄する。また蓋型ノズルは、前記底外面上側に配され、底外面の近傍にスライドして洗浄する。紙カップの内面および底外面を同時に洗浄する。よって洗浄された紙カップは、衛生性に優れている。
【００２１】
本発明の請求項２によれば、リングノズルおよび蓋型ノズルが、それぞれ、エアを吹付けるための多数の吹付け孔と、エアを吸引し排出するための吸引孔とを有している。一つのノズルが、洗浄するための多数の吹付け孔と吸引孔を備えることで、エアの吹付けと吸引が同時に行われるために、効率よく洗浄することができる。大掛かりな設備を必要としないエア洗浄装置である。
【００２２】
本発明の請求項３によれば、リングノズルの先端の中心部および蓋型ノズルの中心部に、それぞれ吸引孔が形成されている。吹付けられたエア、即ち、洗浄エアを、ノズルの中心部に形成された吸引孔から、吸引し排出することで洗浄エアが飛散するのを防ぎ、効率よく洗浄できる。異物の飛散を防ぐことができる。
【００２３】
本発明の請求項４によれば、リングノズルおよび蓋型ノズルが、それぞれ、吹付けと吸引の同時作動と、吸引作動の切換えを可能にする手段を備えた洗浄装置である。リングノズルおよび蓋型ノズルは、スライド可能であることから、効率よく洗浄できる。例えば、洗浄が必要な部位までのスライド中は、吸引作動のみにし、必要な部位に到達した時点で、吹付けと吸引の同時作動を行うこともできる。
【００２４】
特に、紙カップの内面の胴材と底材の接合部や、底面部などに有効である。また蓋型ノズルでは、底外面と、特に糸尻部などに有効である。よって洗浄された紙カップを積層しても、紙カップの内面には異物などの付着がなく衛生性に優れている。
【００２５】
本発明の請求項５によれば、前記リングノズルおよび蓋型ノズルが、それぞれ、吹付けと吸引の同時作動時間と、吸引作動時間を任意に設定する手段を備えた洗浄装置である。吹付けと吸引の同時作動時間と吸引時間をそれぞれ設定することで、除去し難い異物や、サイズのことなる異物など、種々の異物の除去にも対応できる。
【図面の簡単な説明】
【００２６】
【図１】本発明のエア洗浄装置の一例を示す説明図である。
【図２】図１に示すリングノズルのＸ−Ｘ´断面の一例を示す説明図である。
【図３】従来のエア洗浄装置の一例を示す説明図である。
【図４】紙カップの製造方法の一例を示す説明図である。
【図５】紙カップの一例を示す説明図である。
【発明を実施するための形態】
【００２７】
以下、本発明を実施するための形態につき説明する。
【００２８】
図１は、本発明のエア洗浄装置５０の一例を示す説明図である。図５に示したように、紙カップは、開口部１７にはトップカール部２０が、底外面１９には、糸尻部２２が形成され、倒立で固定されている状態を示している。紙カップの開口部下側には、スライド可能なリングノズル１が配され、底外面１９の上側には、スライド可能な蓋型ノズル４が配
されている。
【００２９】
リングノズル１は、紙カップ１０の内面を洗浄するために、内面に挿入できるような筒状に形成されている。またリングノズルの先端部の中心部には、エアａを吸引し排出するための吸引孔３が形成されている。また先端部や周縁部には、エアａを吹付けるための吹付け孔２が形成されている。リングノズル１は、上側方向にスライドして紙カップ１０の開口部１７から内面近傍に配され、エア吹付けと吸引を同時に作動させ洗浄する。吹き付けられたエアａは、図に示すようなエアの流れｂになって吸引される。吸引されたエアは、集塵機（図には示していない）にて集塵される。異物が集塵される。
【００３０】
蓋型ノズル４は、紙カップ１０の底外面１９の上側に底外面を覆うように形成されている。底外面を覆うために蓋状に形成されている。蓋型ノズル４の中心部には、エアを吸引し排出するための吸引孔３が形成されている。また吸引孔３の周縁部には、エアを吹付けのための吹付け孔２が形成されている。蓋型ノズル４は、下側方向にスライドして底外面近傍に配され、エア吹付けと吸引を同時に作動させ洗浄する。吹き付けられたエアａは、図に示すようなエアの流れｂになって吸引される。吸引されたエアは、集塵機（図には示していない）にて集塵される。異物が集塵される。
【００３１】
特に、異物が付着すると除去し難い部位、即ち、内面では、胴部材と底部材との接合部、外面では、底外面、糸尻部などがある。本発明のエア洗浄装置は、リングノズル、蓋型ノズルをスライドさせ、上記部位近傍まで接近させ、エア洗浄することができる。またエア洗浄作動時間を任意に設定できるために、除去し難い異物を完全に除去することができる。洗浄効果を向上させることができる。スライド中では、吹付けと吸引を同時作動もよく、また吸引作動でもよい。例えば、スライド中は吸引作動で、所定の部位に到達後に、吹付けと吸引を同時作動してもよく、洗浄効率を考えて適宜決めることができる。
【００３２】
図２は、図１に示すリングノズル１のＸ−Ｘ´断面の一例を示す説明図である。中心部には、洗浄したエアを排出させるための吸引孔３が形成されている。また周縁部には、エアを吹き付けるための吹付け孔２が形成されている。リングノズル１で吹付け孔２と吸引孔３を備えているために、効率よく洗浄できる。大掛かりな設備を必要とせず、洗浄することができる。
【００３３】
また蓋型ノズルは、図には示していないが、中心部に吸引孔が形成されている。また吸引孔の周縁部には、エアを吹付けのための吹付け孔が形成されている。効率よく洗浄できる。大掛かりな設備を必要とせず、洗浄することができる。
【００３４】
本発明のエア洗浄装置は、一つのノズルにエアの吹付け孔と吸引孔を備えることにより、吹付けと吸引を同時作動させて洗浄することができる。紙カップの内面、底外面を満遍なく洗浄できる。効率がよい洗浄ができる。
【００３５】
本発明のエア洗浄装置は、カップの内面および底外面を同時に洗浄できるものである。生産性に優れている。洗浄された紙カップを積層し積層体にしても、紙カップの内面は衛生性に優れている。
【００３６】
本発明のエア洗浄装置は、洗浄時間のパラメーターのうち、吹付けと吸引同時作動時間、吸引作動時間を任意に設定ができることにより、除去し難い異物を洗浄できる。幅広い種類の異物に対し洗浄できる。
【００３７】
本発明のエア洗浄装置は、洗浄時間を任意に設定できるために、異物の除去し難い部位には、長い時間を掛け洗浄できる。洗浄時間を任意に設定できるために効率がよく洗浄で
きる。
【００３８】
本発明のリングノズルおよび蓋型ノズルは、スライドを可能とするスライド制御装置（図には示していない）と連結されている。スライド制御装置と連結されることで、リングノズルは、ノズル先端径とスライド挿入量が計算され、洗浄効果を高めることができる。また蓋型ノズルも、紙カップの底外面の近傍へのスライド量が計算され、洗浄効果を高めることができる。
【００３９】
本発明のリングノズルおよび蓋型ノズルは、吹付けと吸引を同時作動させる、また吸引作動させるなどの切替えを可能とする切替え制御装置（図には示していない）と連結されている。切替え制御装置と連結されることで、洗浄効果を高めることができる。またスライド制御装置と併用して一層洗浄効果を高めることができる。衛生性に優れた紙カップを形成することができる。
【００４０】
またエアとしては、クリーンエアを使用する。ミストセパレータ、オーダリムーバルフィルタなどのフィルタを使用してクリーンエアにすることができる。また吸引されたエアは集塵機にて集塵される。集塵機には集塵するためのフィルタが備えられ、フィルタの詰まりは、モニターで監視されている。
【００４１】
エアの圧力は、レギュレータにてエア圧が制御されている。よって吹付けエア圧を一定し、洗浄ムラがなく、効率よく洗浄ができる。
【００４２】
本発明のエア洗浄装置は、紙カップの成形機と連結してインラインにて使用することができる。また成形機とエア洗浄装置を分離してもよい。
【００４３】
洗浄された紙カップは自動的に積層され、所定に数量にて梱包され製品化される。異物の付着がない衛生性を有する紙カップを提供することができる。
【産業上の利用可能性】
【００４４】
本発明のエア洗浄装置は、飲料用紙カップ、紙トレーの他に、プラスチックカップ、プラスチックトレーなどの容器の洗浄に使用できる。
【符号の説明】
【００４５】
１    リングノズル
２    吹付け孔
３    吸引孔
４    蓋型ノズル
１０  紙カップ
１１  胴材
１２  底材
１３  胴部
１４  折り返し部
１５  底面部
１６  屈曲部
１７  開口部
１８  内面
１９  底外面
２０  トップカール部
２１  胴材と底材の接合部
２２  糸尻部
３０  スピンノズル
３１  スピンノズル電極ホルダー
３２  排気ダクト
３３  排出口
５０  本発明の洗浄装置
６０  従来の洗浄装置
ａ    エア
ｂ    エアの流れ
ｃ    スライド
ｄ    スピン
【図３】
2013184101.tif 000003
【図４】
2013184101.tif 000004
【図５】
2013184101.tif 000005
【図１】
2013184101.tif 000006
【図２】
2013184101.tif 000007